(57)【要約】      （修正有）【課題】照明対象面の照度と基準値との明暗を比較する作業が容易に行える照明システムを提供する。【解決手段】検査装置は、検査対象の印刷物が載せられる天板２ｂを備えた検査台２ａと、天板２ｂの上方に位置して天板２ｂを照明する照明器具１と、天板２ｂの中央位置に埋設された照度センサ３と、照度センサ３の検出値と基準値とを比較した比較結果を表示部５ａに出力する制御部６を備え、比較結果に基づいて照度が基準値を満たすように照明器具１を調光する。【選択図】図１
2012243387.tif 000002
【特許請求の範囲】
【請求項１】
照明器具の照明対象面に埋設された照度センサと、前記照度センサの検出値と基準値とを比較した比較結果を出力する比較部を備えたことを特徴とする照明システム。
【請求項２】
前記比較結果を表示する表示部を備えたことを特徴とする請求項１記載の照明システム。
【請求項３】
前記比較結果に基づいて前記照度センサの検出値が前記基準値を満たすように前記照明器具を調光する制御部を備えたことを特徴とする請求項１又は２の何れか記載の照明システム。
【請求項４】
前記照度センサを開閉自在に覆うカバーを備えたことを特徴とする請求項１ないし３の何れか記載の照明システム。
【発明の詳細な説明】
【技術分野】
【０００１】
本発明は、照明システムに関するものである。
【背景技術】
【０００２】
従来、印刷物の撮像領域を照明する照明装置と、撮像領域を撮像する撮像カメラを備え、撮像データをもとに印刷物の検査を行う印刷物検査装置があった（特許文献１参照）。この印刷物検査装置では撮像カメラから得られた撮像データをもとに、撮像領域の照度を求め、撮像領域の照度が目標照度となるように照明装置の光出力を自動調整することが行われていた。
【先行技術文献】
【特許文献】
【０００３】
【特許文献１】特開平１１−４２８３７号公報
【発明の概要】
【発明が解決しようとする課題】
【０００４】
しかしながら、上記方法では、前記照明装置からの光出力が同じであっても、印刷物表面の反射率が異なると、撮像カメラの撮像データから求めた照度が異なるため、前記撮像領域の実際の照度が基準を満たさない可能性があった。したがって、印刷物の検査装置において印刷物が載せられる検査台の照度を基準値に調整するためには、検査台上の所定の箇所の照度を個別の照度計にて測定し、照度が基準値を満たさない場合には照明装置の光出力を調整する必要があった。そのため、印刷物の検査を行う際に基準の照度が確保された視環境を提供するためには、照度を測定する度に定規や治具などを用いて照度の測定位置を精確に決定した後、前記測定位置に配置された照度計で照度を求めて、前記照明装置の光出力を調整しなければならず、照度の測定や前記照明装置の出力調整に手間がかかるという問題があった。
【０００５】
本発明は上記事由に鑑みて為されたものであり、その目的とするところは、照明対象面の照度を基準値と比較する作業を容易に行える照明システムを提供することにある。  
【課題を解決するための手段】
【０００６】
上記課題を解決するために本発明の照明システムは、照明器具の照明対象面に埋設された照度センサと、前記照度センサの検出値と基準値とを比較した比較結果を出力する比較部とを備えたことを特徴とする。
【０００７】
この照明システムにおいて、前記比較結果を表示する表示部を備えることが好ましい。
【０００８】
この照明システムにおいて、前記比較結果に基づいて前記照度センサの検出値が前記基準値を満たすように前記照明器具を調光する制御部を備えることが好ましい。
【０００９】
この照明システムにおいて、前記照度センサを開閉自在に覆うカバーを備えることが好ましい。
【発明の効果】
【００１０】
本発明では、照明システムを使用する際に照明対象面の照度と基準値との明暗を比較する作業が容易に行えるという効果がある。
【図面の簡単な説明】
【００１１】
【図１】本実施形態の検査装置の側面図である。
【図２】（ａ）と（ｂ）は同上の照度センサ部を部分拡大した上面図である。
【図３】同上の検査装置を前側から見た斜視図である。
【図４】同上の照明器具部の側面断面図である。
【図５】同上のブロック図である。
【図６】同上の調整作業のフローチャートである。
【発明を実施するための形態】
【００１２】
以下では本実施形態の照明システムを印刷物の検査装置に適用した実施形態について図１〜図６を参照して説明する。
【００１３】
この検査装置は、図１〜図５に示すように、天板２ｂ上に検査対象の印刷物（図示せず）が載せられる検査台２ａと、天板２ｂの上方に位置し天板２ｂ及び前記印刷物を照明する照明器具１と、天板２ｂの中央位置に埋設された照度センサ３とを備える。照度センサ３は例えばフォトダイオードからなり、天板２ｂの中央位置にて照度を検出する。ここにおいて中央位置とは、天板２ｂにおいて検査対象の印刷物が載せられる領域の略中央の位置をいう。
【００１４】
また、本検査装置は図５のブロック図に示すように、制御部６と表示部５ａと操作部１１とをさらに備えている。
制御部６は基準値と照度センサ３の検出値とを比較した比較結果を表示部５ａに出力し、比較結果に基づいて照度が国際規格（ＩＳＯ３６６４）で規定された基準値を満たすように照明器具１を調光する。ここにおいて、制御部６により、基準値と照度センサ３の検出値とを比較した比較結果を表示部５ａに出力する比較部が構成される。
【００１５】
表示部５ａは、例えばタッチパネル機能付きの液晶ディスプレイからなり、天板２ｂ上に設置された支持部５ｂによって、検査台２ａの正面に立った作業者から視認及び操作しやすい位置に支持されている。
【００１６】
天板２ｂには照度センサ３を覆うカバー４が、例えば既知のレール構造を備えることでスライド移動自在に取り付けられている。なお、図１，図３ではカバー４の図示を省略してある。このカバー４は図２（ａ）の照度センサ３を覆う状態と、図２（ｂ）の照度センサ３を露出させる状態とに切り替えられる。カバー４が閉じた状態では天板２ｂとカバー４との間に段差が生じないようになっている。なお、カバー４は天板２ｂに着脱自在に設けられてもよく、照度調整時にはカバー４を外して照度センサ３を露出させるようにしてもよい。
【００１７】
操作部１１は例えば表示部５に備えられたタッチパネル、あるいは、天板２ｂ上に備えられた操作スイッチ（図示せず）からなり、制御部６の動作モードを、印刷物の検査を行う検査モード、又は照度調整を行う調整モードに切り替える際に操作される。
【００１８】
印刷物の検査装置では、通常、印刷物の検査を始める前に天板２ｂの視環境を確認することが行われており、視環境を確認する場合、作業者はカバー４を開き、操作部１１を操作して調整モードに切り替える。一方、調整モードが終了すると作業者は操作部１１を操作して検査モードに切り替えて、カバー４を閉じたのち、印刷物の検査を開始する。
【００１９】
図４は照明器具１の断面図である。照明器具１は図４に示すように、平行に取り付けられた４本の直管形の蛍光ランプ７と、ランプ７の点灯回路８と、各ランプ７から図４の上方及び左右方向に向かう光を下方（天板２ｂ側）へ反射する反射板９を備える。点灯回路８は、制御部６からの制御信号に応じてランプ７を調光する。
【００２０】
ここで、図６のフローチャートを参照して、この検査装置の動作を説明する。検査装置の電源が投入されると、点灯回路８がランプ７を点灯させる（ステップＳ１０１）。制御部６は操作部１１からの操作入力をもとに動作モードを判定する（ステップＳ１０２）。検査モードであればステップＳ２０１へ移行し、検査装置の状態が表示部５ａに表示され、検査を行うことが出来る状態になる。
【００２１】
一方ステップＳ１０２において調整モードと判定されると、作業者によってカバー４が開けられているので、照度センサ３によって照度が検出される（ステップＳ１０３）。ステップＳ１０３にて照度センサ３が検出した照度が国際規格（ＩＳＯ３６６４）で規定された基準値を満たすと制御部６が判断した場合（ステップＳ１０４）は、制御部６によるランプ７の調光は終了し、検査装置の状態が表示部５ａに表示される（ステップＳ２０１）。作業者は、表示部５ａの表示を見て調整完了を確認するとカバー４を閉じ、検査を行える状態となる。一方ステップＳ１０４にて、照度センサ３の検出照度が国際規格（ＩＳＯ３６６４）で規定された基準値を満たさないと制御部６が判断した場合、比較結果が表示部５ａに表示され（ステップＳ１０５）、照度センサ３の検出照度が国際規格（ＩＳＯ３６６４）で規定された基準値を満たすように制御部６がランプ７を調光（ステップＳ１０６）した後、ステップＳ１０３に移行する。
【００２２】
上述のように、本実施形態に適用された照明システムでは、照明器具１の照明対象面に埋設された照度センサ３と、照度センサ３の検出値と基準値とを比較した比較結果を出力する比較部（制御部６）とを備える。
【００２３】
これにより照度調整のために毎回所定の精確な位置で作業者が照度を測定するという手間を省くことができ、照度の検出値と基準値とを比較した結果が出力されるので、照度が基準値を満たしているか否かを確認できる。
【００２４】
また、本実施形態に適用された照明システムでは、比較結果を表示する表示部５ａを備える。
【００２５】
これにより表示部５ａの表示をもとに、作業者は比較結果を視覚的に確認できる。
【００２６】
また、本実施形態に適用された照明システムでは、比較結果に基づいて照度センサ３の検出値が基準値を満たすように照明器具１を調光する制御部６を備える。
【００２７】
これにより照度が基準値を満たすように、作業者が照明器具１を調光する作業を簡略化することができる。
【００２８】
また、本実施形態に適用された照明システムでは、照度センサ３を開閉自在に覆うカバー４を備える。
【００２９】
これにより照度センサ３は傷や汚れがつきにくくなり、照度センサ３の整備や交換といった保守の手間を減らすことができる。
【００３０】
なお、本実施形態では照度センサ３により検出された天板２ｂ中央の照度を国際規格（ＩＳＯ３６６４）で規定された基準値と比較しているが、１乃至複数の照度センサ３により天板２ｂの中央位置を中心とする所定の照射範囲（例えば１ｍ×１ｍ）で照度を検出し、上記照射範囲の照度均斉度がＩＳＯ３６６４で規定された基準値である７５％以上になっているか否かを判断しても良い。この場合は照度と照度均斉度の両方が基準値を満足しているか否かを比較して、その結果を表示部５ａに出力させることができ、ＩＳＯ３６６４で規定された視環境の下で印刷物の検査が行われる。
【符号の説明】
【００３１】
１  照明器具
２ａ  検査台
２ｂ  天板
３  照度センサ
４  カバー
５ａ  表示部
５ｂ  支持部
６  制御部（比較部）
７  ランプ
８  点灯回路
９  反射板
１１  操作部
【図１】
2012243387.tif 000003
【図２】
2012243387.tif 000004
【図３】
2012243387.tif 000005
【図４】
2012243387.tif 000006
【図５】
2012243387.tif 000007
【図６】
2012243387.tif 000008